(57)【要約】【課題】短時間でラドン吸入療法を開始できるようにする。【解決手段】ラドンミスト発生ユニット１は、ラドン溶出水槽４内のラドン含有水（１１）を所定量だけ中間タンク１８へ移し、中間タンク１８から所定量のラドン含有水（１１）をラドンミスト発生タンク２６内に供給すると、ラドンミスト発生タンク２６内のヒータ３４で加熱されたアルミブロック３３がラドン含有水を加熱し、そのアルミブロック３３で加熱されたラドン含有水が水蒸気とラドンの混ざり合った状態のラドンミストとなり、ラドン吸入療法に適したラドン濃度のラドンミストがラドンミスト案内路４７を介してラドン吸入室２に供給されるようになっている。そのため、本発明のラドンミスト発生ユニット１は、従来例と比較し、ラドンミストをラドン放出槽内で循環させる時間が不要になり、短時間でラドン吸入療法を開始できる。【選択図】図１
2015188729.tif 000002
【特許請求の範囲】
【請求項１】
放射性物質含有鉱石及び水を収容し、前記水にラドンが溶け込んだラドン含有水を生成するラドン溶出水槽と、
前記ラドン溶出水槽内の前記ラドン含有水が所定量だけ移される中間タンクと、
前記中間タンクよりも下方に位置し、前記中間タンク内のラドン含有水がラドン含有水案内路を介して送り込まれるラドンミスト発生タンクと、
前記ラドンミスト発生タンク内に配置され、前記ラドン含有水案内路から前記ラドンミスト発生タンク内に供給されたラドン含有水を加熱し、ラドン吸入療法に適したラドン濃度のラドンミストを発生させるラドンミスト発生手段と、
前記ラドンミスト発生タンク内のラドンミストをラドン吸入室に案内するラドンミスト案内路と、
を備えたことを特徴とするラドンミスト発生ユニット。
【請求項２】
放射性物質含有鉱石及び水を収容し、前記水にラドンが溶け込んだラドン含有水を生成するラドン溶出水槽と、
前記ラドン溶出水槽よりも下方に位置し、前記ラドン溶出水槽内のラドン含有水が第１ラドン含有水案内路を介して送り込まれる中間タンクと、
前記第１ラドン含有水案内路に設置され、前記第１ラドン含有水案内路を開閉する開閉弁と、
前記ラドン溶出水槽内の大気圧状態にある上部空間と前記中間タンク内とを連通する圧力調整路と、
前記中間タンク内の前記ラドン含有水の水位を検知する水位センサと、
前記中間タンク内の前記ラドン含有水の水位が予め設定した水位に達したことを前記水位センサが検知すると、前記水位センサからの検知信号に基づいて前記開閉弁を作動制御し、前記第１ラドン含有水案内路を前記開閉弁で閉じる制御装置と、
前記中間タンクよりも下方に位置し、前記中間タンク内のラドン含有水が第２ラドン含有水案内路を介して送り込まれるラドンミスト発生タンクと、
前記ラドンミスト発生タンク内に配置され、前記第２ラドン含有水案内路から前記ラドンミスト発生タンク内に供給されたラドン含有水を加熱し、ラドン吸入療法に適したラドン濃度のラドンミストを発生させるラドンミスト発生手段と、
前記ラドンミスト発生タンク内のラドンミストをラドン吸入室に案内するラドンミスト案内路と、
を備えたことを特徴とするラドンミスト発生ユニット。
【請求項３】
前記ラドンミスト案内路の前記ラドン吸入室側の出口は、ラドン吸入室内の下部から上方へ向けてラドンミストを噴出するようになっている、
ことを特徴とする請求項１又は２に記載のラドンミスト発生ユニット。
【請求項４】
前記ラドンミスト案内路の一部は、前記ラドン吸入室内の療養者の背骨をラドンミストの温熱で暖めることができるように、前記ラドン吸入室内の前記療養者の背中が押し当てられる壁面に埋設された、
ことを特徴とする請求項１乃至３のいずれかに記載のラドンミスト発生ユニット。
【発明の詳細な説明】
【技術分野】
【０００１】
この発明は、ラドンが溶け込んだラドン含有水を加熱し霧状にしてラドン吸入室内に放出し、ラドン吸入室内の療養者の生活習慣病の対処療法などに利用するラドンミスト発生ユニットに関するものである。
【背景技術】
【０００２】
従来から、日本において、ラドン温泉として有名な三朝温泉の各種疾病に対する治療効果が広く知られている。また、オーストリア及びドイツにおいて、ラドン吸入療法が神経痛や末梢循環障害等の医療行為として認められている。そして、このような、ラドン等の放射線壊変生成物を含有する温泉などの効能に着目した各種装置が案出されている。
【０００３】
例えば、浴室などの閉鎖された空間（ラドン吸入室）内に設置するだけでラドンミストサウナ浴施設を実現できるラドンミスト発生装置が既に案出されている。このラドンミスト発生装置は、外部から供給される原料水の加熱手段を備えた蒸気槽と、放射性物質を担持させた多孔質セラミックスパネルを備えたラドン放出槽とから構成してあり、蒸気槽から導出した水蒸気を含む湿潤空気がラドン放出槽内の多孔質セラミックスパネルを透過することにより、ラドンミストがラドン放出槽内において生成され、そのラドン放出槽内のラドンミストがラドン放出槽外（例えば、ラドン吸入室内）へ噴出させられるようになっている（特許文献１参照）。
【先行技術文献】
【特許文献】
【０００４】
【特許文献１】特開２００８−１４２３２６号公報
【発明の概要】
【発明が解決しようとする課題】
【０００５】
このような従来のラドンミスト発生装置は、ラドンミストがラドン放出槽内で循環させられ、ラドンミストが多孔質セラミックスパネルを複数回通過させられることにより、ラドン吸入療法に有効な濃度（ラドン濃度）のラドンミストが生成されるようになっている。したがって、従来のラドンミスト発生装置は、ラドン吸入療法を開始するまでに長い準備時間が必要であった。
【０００６】
そこで、本発明は、短時間でラドン吸入療法を開始できるようにしたラドンミスト発生ユニットの提供を目的とする。
【課題を解決するための手段】
【０００７】
本発明のラドンミスト発生ユニット１は、図１に示すように、
ａ．放射性物質含有鉱石１０及び水１１を収容し、前記水１１にラドンが溶け込んだラドン含有水（１１）を生成するラドン溶出水槽４と、
ｂ．前記ラドン溶出水槽４内の前記ラドン含有水（１１）が所定量だけ移される中間タンク１８と、
ｃ．前記中間タンク１８よりも下方に位置し、前記中間タンク１８内のラドン含有水（１１）がラドン含有水案内路２５を介して送り込まれるラドンミスト発生タンク２６と、
ｄ．前記ラドンミスト発生タンク２６内に配置され、前記ラドン含有水案内路２５から前記ラドンミスト発生タンク２６内に供給されたラドン含有水（１１）を加熱し、ラドン吸入療法に適したラドン濃度のラドンミストを発生させるラドンミスト発生手段３２と、
ｅ．前記ラドンミスト発生タンク２６内のラドンミストをラドン吸入室２に案内するラドンミスト案内路４７と、
を備えている。
【発明の効果】
【０００８】
本発明のラドンミスト発生ユニットによれば、ラドン溶出水槽内のラドン含有水を所定量だけ中間タンクへ移し、中間タンクから所定量のラドン含有水をラドンミスト発生タンク内に供給すると、ラドンミスト発生タンク内のラドンミスト発生手段がラドン含有水を加熱し、そのラドンミスト発生手段で加熱されたラドン含有水が水蒸気とラドンの混ざり合った状態のラドンミストとなり、ラドン吸入療法に適したラドン濃度のラドンミストがラドンミスト案内路を介してラドン吸入室に供給されるようになっている。そのため、本発明のラドンミスト発生ユニットは、従来例と比較し、ラドンミストをラドン放出槽内で循環させる時間が不要になり、短時間でラドン吸入療法を開始できる。
【図面の簡単な説明】
【０００９】
【図１】本発明の実施形態に係るラドンミスト発生ユニットの構造図である。
【図２】本発明の実施形態に係るラドンミスト発生ユニットを組み付けたラドン吸入室の正面図である。
【図３】本発明の実施形態に係るラドンミスト発生ユニットを組み付けたラドン吸入室の側面図である。
【図４】図２のＡ１−Ａ１線に沿って切断して示すラドン吸入室の断面図である。
【図５】図３のＡ２−Ａ２線に沿って切断して示すラドン吸入室の断面図である。
【図６】ラドン吸入室内に配置されるラドンミスト案内路を模式的に示す図であり、図４のＢ方向から見たラドンミスト案内路を示す図である。
【図７】アルミブロックを右斜め上から見た外観斜視図である。
【発明を実施するための形態】
【００１０】
以下、本発明の実施形態を図面に基づき詳述する。
【００１１】
図１は、本発明の実施形態に係るラドンミスト発生ユニット１の構造図である。また、図２乃至図５は、本発明の実施形態に係るラドンミスト発生ユニット１を組み付けたラドン吸入室２を示す図である。
【００１２】
図１に示すように、実施形態に係るラドンミスト発生ユニット１は、装置本体３内の最上部にラドン溶出水槽４が設置されている。このラドン溶出水槽４は、ステンレスの板材で直方体形状に形成され、上蓋５が開閉又は着脱できるようになっており、図示しないフレーム等によって装置本体３に固定されている。ラドン溶出水槽４の内部底面６には、複数段のトレイ７を備えた鉱石陳列棚８が置かれている。そして、この鉱石陳列棚８の各トレイ７上には、ラジウム鉱石（放射性物質含有鉱石）１０が置かれている。なお、各トレイ７は、ラジウム鉱石１０と水１１との接触面積を大きくするため、水１１の通過を可能にする通水穴（図示せず）が多数設けられていることが好ましい。
【００１３】
また、図１に示すように、ラドン溶出水槽４は、水１１が側壁１２の上部に設置された給水口１３から内部に注入されるようになっている。このラドン溶出水槽４内には、鉱石陳列棚８上の全てのラジウム鉱石１０が水没する十分な量の水１１が注入される。そして、このラドン溶出水槽４は、ラドンミスト発生ユニット１が使用されない夜間に、ラジウム鉱石１０から水１１にラドンが溶け込み、ラドン吸入療法に使用できるラドン濃度のラドン含有水（１１）が生成される。なお、ラドン溶出水槽４は、３０Ｌ（リットル）程度の水１１を収容できるようになっているが、この容量に限定されるものでなく、利用者（療養者）が１回に使用するラドン含有水量及び１日の利用者数等に応じた容量のものが使用される。また、ラドン溶出水槽４は、内部上方に空気溜まりとなる空間１４が生じるように、給水口１３から水１１が注入される。また、給水口１３に接続された給水管１５の途中には、給水管１５を開閉する給水管開閉弁１６が設置されている。
【００１４】
また、図１に示すように、ラドン溶出水槽４は、内部底面６の近傍に開口する第１ラドン含有水案内路１７の一端側が取り付けられている。この第１ラドン含有水案内路１７は、ラドン溶出水槽４内のラドン含有水（１１）をサイホンの原理によってラドン溶出水槽４の外部へ送り出すと共に、そのラドン含有水（１１）を中間タンク１８に案内するようになっている。この第１ラドン含有水案内路１７のラドン溶出水槽４内に位置する一端側は、ラドン含有水吸入口１７ａがラドン溶出水槽４の内部底面６の近傍に位置するように、略逆Ｕ字形状に折り曲げられている。なお、第１ラドン含有水案内路１７のラドン含有水吸入口１７ａには、ラジウム鉱石片等の吸い込みを防止するフィルタを設置してもよい。
【００１５】
また、図１に示すように、第１ラドン含有水案内路１７の途中には、制御装置２０からの制御信号に基づいて作動し、第１ラドン含有水案内路１７を開閉する開閉弁２１が設置されている。そして、第１ラドン含有水案内路１７の他端側は、中間タンク１８の上部に接続され、ラドン含有水（１１）を中間タンク１８の内部に供給できるようになっている。
【００１６】
また、図１に示すように、中間タンク１８は、ラドン溶出水槽４よりも下方に配置され、図示しないフレーム等によって装置本体３に固定されている。この中間タンク１８は、上下方向中間位置よりも上方の側面に、第１ラドン含有水案内路１７の他端側が接続されると共に、水位検出路２２と圧力調整路２３が接続されている。水位検出路２２は、中間タンク１８の底面側内部空間とラドン溶出水槽４の上部空間１４とに接続されている。圧力調整路２３は、中間タンク１８の内部とラドン溶出水槽４の上部空間１４とを接続し、第１ラドン含有水案内路１７がサイホンの原理でラドン含有水（１１）をラドン溶出水槽４から中間タンク１８に案内できるように、中間タンク１８内の圧力を調整する。なお、圧力調整路２３が中間タンク１８内のラドン含有水（１１）で塞がれるまでの間は、中間タンク１８内の空間とラドン溶出水槽４内の大気圧状態にある上部空間１４が圧力調整路２３を介して連通し、中間タンク１８内の空間の圧力が大気圧状態になっている。また、中間タンク１８は、ラドン溶出水槽４と同様にステンレスで形作られている。
【００１７】
また、図１に示すように、水位検出路２２には、水位センサ２４（例えば、静電容量式レベルセンサ）が設置されている。この水位センサ２４は、中間タンク１８内のラドン含有水の水位が所定水位に達すると、その水位を検知し、検知信号を制御装置２０に送る。制御装置２０は、水位センサ２４からの検知信号が入力されると、開閉弁２１に制御信号を出力し、開閉弁２１を作動制御して、第１ラドン含有水案内路１７を開閉弁２１で閉じる。これによって、ラドン溶出水槽４から中間タンク１８へのラドン含有水（１１）の供給が停止される。なお、本実施形態において、水位センサ２４は、設置位置を変えることができるようになっており、所望の設定水位を検知できるようになっている。また、中間タンク１８内に送り込まれるラドン含有水（１１）の水量は、利用者（療養者）がラドン吸入療法を１回実施できる量に設定される（１Ｌ〜２Ｌの範囲で設定されるのが好ましい）。
【００１８】
また、図１に示すように、中間タンク１８の底部には、第２ラドン含有水案内路２５が接続されている。この第２ラドン含有水案内路２５は、上端部（一端部）が中間タンク１８内に開口し、下端部（他端部）がラドンミスト発生タンク２６内の水受け容器２７内に開口し、中間タンク１８内のラドン含有水（１１）をラドンミスト発生タンク２６内の水受け容器２７内に案内するようになっている。なお、第２ラドン含有水案内路２５の途中には、流量調整弁２８が設置されている。この流量調整弁２８は、作業者が手動で操作することができ、第２ラドン含有水案内路２５を流れるラドン含有水の流量を調整できるようになっている。
【００１９】
また、図１に示すように、中間タンク１８の下方には、ラドンミスト発生タンク２６が配置されている。このラドンミスト発生タンク２６は、ラドン溶出水槽４と同様にステンレスで直方体状に形作られており、上蓋３０が第２ラドン含有水案内路２５と干渉することなく開閉又は着脱できるようになっている。また、このラドンミスト発生タンク２６は、水受け容器２７の下方の内部空間３１にラドンミスト発生手段３２が配置されている。ラドンミスト発生手段３２は、アルミブロック３３とこのアルミブロック３３を加熱するヒータ３４とからなっている。アルミブロック３３は、図示しないフレーム等によってラドンミスト発生タンク２６の内壁に固定されている。また、このアルミブロック３３は、図７に示すように、Ｖ字形状の溝３５が上面の長手方向に沿って形成されている。また、図７に示すように、アルミブロック３３の一端面３６には、ヒータ収容穴３７と温度センサ収容穴３８が形成されている。そして、図１に示すように、アルミブロック３３のヒータ収容穴３７内には、アルミブロック３３を加熱する棒状のヒータ３４が収容されている。また、図１に示すように、アルミブロック３３の温度センサ収容穴３８内には、アルミブロック３３の温度を検知する温度センサ４０が収容されている。棒状のヒータ３４は、操作部４１（例えば、装置本体３の外壁に取り付けた操作パネル）のヒータ通電スイッチ４２がオンされると、通電されて発熱し、アルミブロック３３を高温（例えば、１５０℃程度）に加熱する。温度センサ４０は、アルミブロック３３の温度を検知し、検知データを制御装置２０に送る。制御装置２０は、温度センサ４０からのデータに基づき、表示手段４３（例えば、液晶表示パネル）にアルミブロック３３の温度を表示する。作業者は、表示手段４３に表示された温度を視認し、アルミブロック３３が高温（例えば、１５０℃）になったことを確認した後、操作部４１のユニットスタートボタン４４をオン操作する。この操作部４１のユニットスタートボタン４４がオン操作されると、制御装置２０は、開閉弁２１に制御信号を出力し、開閉弁２１を開弁させ、第１ラドン含有水案内路１７を開いて、ラドン溶出水槽４から中間タンク１８へ第１ラドン含有水案内路１７を介してラドン含有水（１１）が供給されるように、開閉弁２１を作動制御する。
【００２０】
また、図１に示すように、水受け容器２７から第１ラドン含有水分配路４５と第２ラドン含有水分配路４６とが延びており、第１ラドン含有水分配路４５がアルミブロック３３のＶ字形状の溝３５内にラドン含有水を落下させ、第２ラドン含有水分配路４６がラドンミスト発生タンク２６の内部空間３１にラドン含有水を落下させるようになっている。第１ラドン含有水分配路４５の途中には、第１ラドン含有水分配路４５の内部を流れるラドン含有水の水量調整用の流量調整弁４９が設置されている。第１ラドン含有水分配路４５からアルミブロック３３にラドン含有水が落下すると、ラドン含有水がアルミブロック３３で瞬時に加熱されて水蒸気になり、ラドンが分離される。また、第２ラドン含有水分配路４６からラドンミスト発生タンク２６の内部空間３１にラドン含有水が落下すると、そのラドン含有水がアルミブロック３３によって暖められたラドンミスト発生タンク２６内の雰囲気及びラドンミスト発生タンク２６内に溜まった水１１によって暖められ、ラドンが水１１から分離されてラドンミスト発生タンク２６内に充満する。そして、ラドンミスト発生タンク２６内のラドンは、ラドンミスト発生タンク２６内とラドン吸入室２内とを接続するラドンミスト案内路４７を水蒸気によって運ばれ、ラドン吸入室２内にラドンミスト（ラドン吸入療法に適したラドン濃度のラドンミスト）として送り込まれる。
【００２１】
また、図１に示すように、ラドンミスト発生タンク２６には、サイホンの原理によって所定水位を超える水１１をタンク内部から排出する第１の排水路４８と、全ての水１１をタンク内部から排水する第２の排水路５０とが接続されている。第１の排水路４８は、ラドンミスト発生タンク２６の内部に位置する部分の形状が略逆Ｕ字形状になっており、下端部がラドンミスト発生タンク２６よりも下方に位置する流路切換弁５１を介して排水路５２に接続されている。また、第２の排水路５０は、一端部（上端部）がラドンミスト発生タンク２６の底面５３に開口し、他端部（下端部）側が流路切換弁５１を介して排水路５２に接続されている。これら第１の排水路４８と第２の排水路５０は、流路切換弁５１によって選択的に排水路５２に接続される。そして、ラドンミスト発生タンク２６内の清掃等の特別な場合を除き、第１の排水路４８と排水路５２とが流路切替弁５１を介して連通され、ラドンミスト発生タンク２６内に所定量の水１１が溜められるようになっている。ラドンミスト発生タンク２６内に溜められた水１１は、アルミブロック３３がヒータ３４によって加熱されると、アルミブロック３３が発する熱によって２５℃以上に暖められる。これにより、ラドンミスト発生タンク２６内に溜められて加熱された水１１は、第２ラドン含有水分配路４６から落下したラドン含有水を暖めて、ラドンを水１１から分離させる。したがって、ラドンミスト発生タンク２６内に溜められた水１１は、ほとんどのラドンをラドンミスト発生タンク２６内の雰囲気に放出し、ラドンをほとんど含まない水になる。なお、排水路５２から排出される水は、ラドンをほとんど含まない水であるため、回収タンク内に重力落下させて回収し、ラドン溶出水槽４に戻して再利用するか、又は図外の排水溝に直接排出してもよい。
【００２２】
図２乃至図５は、ラドン吸入室２を示す図である。これらの図に示すように、ラドン吸入室２は、土台部５４によって支持されており、土台部５４の背面側に組み付けられたラドン発生ユニット１からラドンミスト案内路４７を介してラドンミストが内部空間（室内）５５に供給されるようになっている。このラドン吸入室２は、略半円筒の吸入室本体部５６の正面側開口部５７を斜め上方へ向け、吸入室本体部５６の一側面側（図２及び図５の左側面側）の開口端全域及び吸入室本体部の正面側開口部５７の一部が封止用透明プラスチック板５８，６０で塞がれている。また、ラドン吸入室２は、吸入室本体部５６の他側面側（図２及び図５の右側面側）の開口端及び吸入室本体部５６の正面側開口部５７の他部（封止用透明プラスチック板６０で塞がれていない部分）が透明プラスチック板で形成された開閉扉６１によって開閉されるようになっている。開閉扉６１は、吸入室本体部５６の正面側開口部５７に固定された封止用透明プラスチック板６０の端部にヒンジ６２を介して回動可能な状態で取り付けられている。そして、この開閉扉６１は、利用者（療養者）６３が片手で容易に開閉操作できるように、円弧状の長い（握り拳の複数倍の長さの）操作用取っ手６４が固定されると共に、全体が軽く形成されている。
【００２３】
また、図２乃至図５に示すように、ラドン吸入室２は、吸入室本体部５６の外壁６５がベニヤ板等の比較的に軽量（鉄に比較して軽量）な材料で形成され、その外壁６５の内側にラドンミスト案内路４７の一部が配置されている。ラドンミスト案内路４７は、ラドンミスト発生タンク２６から延びており、吸入室本体部５６の外壁６５の下端部から外壁６５の内側に引き込まれている。このラドン吸入室２の外壁６５の内側に引き込まれたラドンミスト案内路４７は、ラドン吸入室２の正面側開口部５７の近傍に向かって直接延びる第１分岐路６６と、この第１分岐路６６と逆方向へ向かって延びた後にＵターンしてラドン吸入室２の正面側開口部５７の近傍で第１分岐路６６に合流する第２分岐路６７とを有している（図６参照）。そして、これら第１分岐路６６と第２分岐路６７は、ラドン吸入室２内に開口するラドン噴出口６８に接続される。このラドンミスト案内路４７のラドン吸入室２側の出口であるラドン噴出口６８は、ラドン吸入室２内に座った利用者（療養者）６３の足先近傍に位置し、ラドン吸入室２の下部から上方の内部空間５５へ向けてラドンミストを噴出するようになっている。また、第１分岐路６６及び第２分岐路６７は、図５に示すように、ラドン吸入室２の幅方向の略中央部に配置されている。
【００２４】
また、図４及び図５に示すように、ラドンミスト案内路４７の第２分岐路６７は、利用者（療養者）６３がラドン吸入室２内に寝そべるように座った場合、内部を流れるラドンミストの温熱で利用者（療養者）６３の背骨を暖めることができるように、利用者（療養者）６３の背中が押し当てられる壁面に埋設されている。ラドンミスト案内路４７の第１分岐路６６及び第２分岐路６７のうちで、少なくとも第２分岐路６７の周囲には伝熱性が良好で且つ軟らかい繊維状金属（図示せず）が巻き付けられるか又は埋め込まれ、ラドン吸入室２内に寝そべるように座った利用者（療養者）６３の背骨を確実に暖めることができるようになっている。そして、利用者（療養者）６３の体が接触するラドン吸入室２の内壁面７０は、人工皮革又は天然皮革によって形作られており、外壁６５の内側に配置された発泡スチロール等のクッション性に優れた断熱部材７１の表面に張り渡されている。その結果、ラドン吸入室２内に寝そべるように座った利用者（療養者）６３の体がラドンミスト案内路４７（第１分岐路６６及び第２分岐路６７）や繊維状金属に接触することがない。そして、ラドン吸入室２内の利用者（療養者）６３は、ラドン吸入療法と温熱療法を同時に受けることが可能になる。
【００２５】
また、図４及び図５に示すように、ラドン吸入室２は、利用者（療養者）６３が寝そべるように座った場合、利用者（療養者）６３が円弧形状の曲面（略半円筒状の曲面）である内壁面７０に接するようになっているため、利用者（療養者）６３の背中（特に背骨周辺）が利用者（療養者）６３の自重で確実に内壁面７０に押し付けられる。その結果、利用者（療養者）６３の背骨は、ラドン吸入室２に埋め込まれたラドンミスト案内路４７（特に、第２分岐路６７）の熱によって確実に暖められる。
【００２６】
以上のように、本実施形態に係るラドンミスト発生ユニット１は、ラドン溶出水槽４内のラドン含有水（１１）を所定量だけ中間タンク１８へ移し、中間タンク１８から所定量のラドン含有水（１１）をラドンミスト発生タンク２６内に供給すると、ラドンミスト発生タンク２６内のヒータ３４で加熱されたアルミブロック３３（ラドンミスト発生手段３２）がラドン含有水を加熱し、そのアルミブロック３３で加熱されたラドン含有水が水蒸気とラドンの混ざり合った状態のラドンミストとなり、ラドン吸入療法に適したラドン濃度のラドンミストがラドンミスト案内路４７を介してラドン吸入室２に供給されるようになっている。そのため、本実施形態に係るラドンミスト発生ユニット１は、従来例と比較し、ラドンミストをラドン放出槽内で循環させる時間が不要になり、短時間でラドン吸入療法を開始できる。
【００２７】
また、本実施形態に係るラドンミスト発生ユニット１は、ラドン溶出水槽４内のラドン含有水（１１）をサイホンの原理又は重力落下によってラドンミスト発生タンク２６まで導くようになっており、ポンプを使用せずにラドン含有水（１１）を流動させることができるため、全体構造を簡単化することができると共に、消費電力を低減することができる。
【００２８】
また、本実施形態に係るラドンミスト発生ユニット１は、アルミブロック３３の熱でラドン含有水を加熱して水蒸気を生成し、ラドンミスト発生タンク２６内のラドンを水蒸気によってラドン吸入室２に運ぶように構成されているため、コンプレッサ等の加圧装置が不要となり、全体構造を簡単化することができると共に、消費電力を低減することができる。
【００２９】
なお、本実施形態において、ラドンミスト発生手段３２は、ヒータ３４によってアルミブロック３３を加熱する構成を例示したが、これに限られず、伝熱性に優れ且つ錆びにくい金属（例えば、ステンレス）をブロック状にしたものをヒータ３４で加熱するようにしてもよい。
【００３０】
また、本実施形態において、操作部４１は、第１ラドン含有水案内路１７の開閉弁２１を閉じ、ヒータ３４への通電を遮断して、ラドンミスト発生ユニット１の作動を停止させるユニットストップボタン７２を有している。また、操作部４１は、ヒータ３４への通電を遮断して、ヒータ３４によるアルミブロック３３の加熱を停止するヒータストップスイッチ７３を有している。
【００３１】
また、本実施形態において、制御装置２０は、温度センサ４０からのデータ（温度検知結果）に基づいてヒータ３４への通電を制御し、アルミブロック３３の温度管理を自動的に行うようにしてもよい。
【００３２】
また、本発明は、上記実施形態に限定されず、ラドン溶出水槽４内のラドン含有水（１１）を所定量だけ容器で汲み取り、その汲み取ったラドン含有水（１１）を中間タンク１８に注入するようにしてもよい。このような本発明の変形例によれば、上記実施形態における第１ラドン含有水案内路１７、開閉弁２１、水位検出路２２、圧力調整路２３、水位センサ２４、開閉弁を作動制御する制御装置２０が不要になり、ラドンミスト発生ユニット１の構造が簡単になる。
【符号の説明】
【００３３】
１……ラドンミスト発生ユニット、２……ラドン吸入室、４……ラドン溶出水槽、１０……ラジウム鉱石（放射性物質含有鉱石）、１１……水、（１１）……ラドン含有水、１８……中間タンク、２５……第２ラドン含有水案内路（ラドン含有水案内路）、２６……ラドンミスト発生タンク、３２……ラドンミスト発生手段、４７……ラドンミスト案内路
【図１】
2015188729.tif 000003
【図２】
2015188729.tif 000004
【図３】
2015188729.tif 000005
【図４】
2015188729.tif 000006
【図５】
2015188729.tif 000007
【図６】
2015188729.tif 000008
【図７】
2015188729.tif 000009